(57)【特許請求の範囲】
【請求項１】
複数の負荷に対して電力を供給する電力供給装置において、
前記複数の負荷ごとに設けられた複数のトランスであって、それぞれの１次側コイルが１つの電流経路を形成するように直列に接続され、それぞれの２次側コイルの一端が前記複数の負荷に接続された複数のトランスと、
交流電圧を生成し、前記複数のトランスの２次側コイルの他端に印加する交流電源と、
前記複数のトランスの１次側コイルにより形成される電流経路上に設けられたキャパシタと、
を備え、
前記電流経路の一端に第１固定電圧を印加するとともに、前記電流経路の他端に、前記第１固定電圧とは異なる第２固定電位を印加し、
本電力供給装置は、隣接する２つのトランスの１次側コイル同士の接続点それぞれの電圧をモニタし、複数の接続点の電圧にもとづき、回路異常を検出する第２異常検出回路をさらに備え、
前記交流電源は、前記第２異常検出回路によって回路異常が通知されたとき、前記複数の負荷に供給する電力を低減することを特徴とする電力供給装置。
【請求項２】
前記第２異常検出回路は、前記複数の接続点のうち、少なくともひとつの接続点の電位が所定のしきい値電圧を下回ったとき、前記交流電源に、回路異常を通知する請求項１に記載の電力供給装置。
【請求項３】
前記電流経路上に設けられ、当該電流経路に流れる電流を検出する電流検出回路をさらに備え、
前記交流電源は、前記電流検出回路により検出される電流を、前記複数の負荷に流れる電流とみなし、前記複数の負荷に供給する電力を制御することを特徴とする請求項１または２に記載の電力供給装置。
【請求項４】
前記交流電源は、前記電流検出回路により検出される電流が、所望の電流値と一致するように、前記複数の負荷に供給する電力を帰還制御することを特徴とする請求項３に記載の電力供給装置。
【請求項５】
前記交流電源は、前記電流検出回路により検出される電流が、所定のしきい値に満たないとき、所定の処理を実行することを特徴とする請求項３または４に記載の電力供給装置。
【請求項６】
前記電流検出回路は、
前記電流経路上に設けられ、一端の電位が固定された電流検出抵抗を含み、
前記交流電源は、当該電流検出抵抗に発生する電圧降下を、前記複数の負荷に流れる電流に応じた信号とみなし、前記複数の負荷に供給する電力を制御することを特徴とする請求項３に記載の電力供給装置。
【請求項７】
前記電流検出回路は、前記電流検出抵抗に発生する電圧降下を、半波整流し、直流成分を抽出するフィルタをさらに含み、
前記交流電源は、前記フィルタの出力電圧が、所望の電流値に対応した電圧値に一致するように、前記複数の負荷に供給する電力を帰還制御することを特徴とする請求項６に記載の電力供給装置。
【請求項８】
前記電流検出抵抗に発生する電圧降下の振幅を、所定のしきい値と比較し、前記電圧降下の振幅が前記しきい値を下回ったとき、前記交流電源に、回路異常を通知する第１異常検出回路をさらに備え、
前記交流電源は、前記第１異常検出回路によって回路異常が通知されたとき、所定の処理を実行することを特徴とする請求項７に記載の電力供給装置。
【請求項９】
前記電流検出抵抗は、一端が前記第１固定電圧に接続されており、
前記第１異常検出回路は、
前記電流検出抵抗の他端に現れる電圧を、前記しきい値電圧と比較するコンパレータと、
オープンコレクタ構造を有する前記コンパレータの出力を、ハイレベルにプルアップするプルアップ抵抗と、
前記コンパレータの出力と接地間に設けられたキャパシタと、
を含み、
前記コンパレータの出力がハイレベルの状態を、回路異常として前記交流電源に通知することを特徴とする請求項８に記載の電力供給装置。
【請求項１０】
前記複数のトランスの２次側コイルと、前記複数の負荷の接続点の電圧をモニタし、少なくとも１つの接続点に現れる電位が、所定のしきい値電圧を上回ったとき、前記交流電源に、過電圧状態を通知する過電圧検出回路をさらに備え、
前記交流電源は、前記過電圧検出回路によって過電圧状態が通知されたとき、前記複数の負荷に供給する電力を低減することを特徴とする請求項１から３のいずれかに記載の電力供給装置。
【請求項１１】
前記交流電源は、直流の入力電圧を交流電圧に変換して出力するインバータであることを特徴とする請求項１から１０のいずれかに記載の電力供給装置。
【請求項１２】
複数の蛍光ランプと、
前記複数の蛍光ランプを、複数の負荷として電力を供給する請求項１から１１のいずれかに記載の電力供給装置と、
を備えることを特徴とする発光装置。
【請求項１３】
前記蛍光ランプは、冷陰極管蛍光ランプであることを特徴とする請求項１２に記載の発光装置。
【請求項１４】
前記蛍光ランプは、外部電極蛍光ランプであることを特徴とする請求項１２に記載の発光装置。
【請求項１５】
液晶パネルと、
前記液晶パネルの背面にバックライトとして設けられた請求項１２から１４のいずれかに記載の発光装置と、
を備えることを特徴とする電子機器。
【発明の詳細な説明】
【技術分野】
【０００１】
本発明は、蛍光ランプなどの負荷に交流電力を供給する電力供給装置に関する。
【背景技術】
【０００２】
近年、ブラウン管テレビに代えて、薄型、大型化が可能な液晶テレビの普及が進んでいる。液晶テレビは、映像が表示される液晶パネルの背面に、冷陰極蛍光ランプ（Ｃｏｌｄ  Ｃａｔｈｏｄｅ  Ｆｌｕｏｒｅｓｃｅｎｔ  Ｌａｍｐ、以下ＣＣＦＬという）や、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ、以下、ＥＥＦＬという）を複数本配置し、バックライトとして発光させている。
【０００３】
ＣＣＦＬやＥＥＦＬの駆動には、たとえば１２Ｖ程度の直流電圧を昇圧して交流電圧として出力するインバータ（ＤＣ／ＡＣコンバータ）などが用いられる。インバータは、ＣＣＦＬに流れる電流を電圧に変換して制御回路に帰還し、この帰還された電圧にもとづいてスイッチング素子のオンオフを制御している。たとえば、特許文献１、２には、ＣＣＦＬの駆動技術が開示される。
【０００４】
【特許文献１】特開２００３−３２３９９４号公報
【特許文献２】国際公開第２００５／０３８８２８号パンフレット
【発明の開示】
【発明が解決しようとする課題】
【０００５】
ここで、インバータによって昇圧された交流電圧によって、複数のＣＣＦＬを駆動する場合を考える。各ＣＣＦＬの発光輝度は、ＣＣＦＬに流れる電流に応じて決まるため、複数のＣＣＦＬを均一に発光させるためには、各ＣＣＦＬに流れる電流をそろえる必要がある。
【０００６】
本発明はこうした課題に鑑みてなされたものであり、その目的は、たとえばＣＣＦＬなどの複数の負荷に対して、均一に電力供給が可能な電力供給装置の提供にある。
【課題を解決するための手段】
【０００７】
本発明のある態様は、複数の負荷に対して電力を供給する電力供給装置に関する。この電力供給装置は、複数の負荷ごとに設けられた複数のトランスであって、それぞれの１次側コイルが１つの電流経路を形成するように直列に接続され、それぞれの２次側コイルの一端が複数の負荷に接続された複数のトランスと、交流電圧を生成し、複数のトランスの２次側コイルの他端に印加する交流電源と、複数のトランスの１次側コイルにより形成される電流経路上に設けられたキャパシタと、を備える。電流経路の一端に第１固定電圧を印加するとともに、電流経路の他端に、第１固定電圧とは異なる第２固定電位を印加する。
【０００８】
この態様によると、複数のトランスの１次側コイルには、同一の電流（以下、共通電流ともいう）が流れるため、各トランスの２次側コイルに流れる電流は、共通電流に巻き線比を乗じた電流が流れることになる。その結果、複数の負荷に供給する電力を巻き線比に応じて制御することができる。さらに、共通電流が流れる電流経路の両端を、異なる電位によって固定することにより、共通電流の検出が可能となる。
【０００９】
電力供給装置は、電流経路上に設けられ、当該電流経路に流れる電流を検出する電流検出回路をさらに備えてもよい。交流電源は、電流検出回路により検出される電流を、複数の負荷に流れる電流とみなし、複数の負荷に供給する電力を制御してもよい。
負荷がＣＣＦＬなどである場合、複数のトランスの２次側コイルには、ＣＣＦＬなどの負荷に流れる電流と、配線と基板間の寄生容量に流れる電流の和が流れる。したがって、２次側コイルに流れる電流にもとづいて、負荷に供給する電力を制御した場合、実際に負荷に流れる電流を過大に見積もることになる。この態様によれば、１次側コイルで形成される電流経路に流れる電流にもとづき負荷に供給する電力を制御するため、より正確に電力を制御することができる。
【００１０】
交流電源は、電流検出回路により検出される電流が、所望の電流値と一致するように、複数の負荷に供給する電力を帰還制御してもよい。
【００１１】
交流電源は、電流検出回路により検出される電流が、所定のしきい値に満たないとき、所定の処理を実行してもよい。この場合、ランプの非点灯などを検出することができるため、回路保護動作や再点灯動作を行うことができる。
【００１２】
電流検出回路は、電流経路上に設けられ、一端の電位が固定された電流検出抵抗を含んでもよい。交流電源は、当該電流検出抵抗に発生する電圧降下を、複数の負荷に流れる電流に応じた信号とみなし、複数の負荷に供給する電力を制御してもよい。
【００１３】
電流検出回路は、電流検出抵抗に発生する電圧降下を、半波整流し、直流成分を抽出するフィルタをさらに含んでもよい。交流電源は、フィルタの出力電圧が、所望の電流値に対応した電圧値に一致するように、複数の負荷に供給する電力を帰還制御してもよい。
【００１４】
電力供給装置は、電流検出抵抗に発生する電圧降下の振幅を、所定のしきい値と比較し、電圧降下の振幅がしきい値を下回ったとき、交流電源に、回路異常を通知する第１異常検出回路をさら備えてもよい。交流電源は、第１異常検出回路によって回路異常が通知されたとき、所定の処理を実行してもよい。
【００１５】
電流検出抵抗は、一端が第１固定電圧に接続されており、第１異常検出回路は、電流検出抵抗の他端に現れる電圧を、しきい値電圧と比較するコンパレータと、オープンコレクタ構造を有するコンパレータの出力を、ハイレベルにプルアップするプルアップ抵抗と、コンパレータの出力と接地間に設けられたキャパシタと、を含んでもよい。第１異常検出回路は、コンパレータの出力がハイレベルの状態を、回路異常として交流電源に通知してもよい。
【００１６】
電力供給装置は、複数のトランスの１次側コイルの一端の電圧をモニタし、少なくとも１つの端子に現れる電位が、所定のしきい値電圧を下回ったとき、交流電源に、回路異常を通知する第２異常検出回路をさら備えてもよい。交流電源は、第２異常検出回路によって回路異常が通知されたとき、複数の負荷に供給する電力を低減してもよい。
【００１７】
電力供給装置は、複数のトランスの２次側コイルと、複数の負荷の接続点の電圧をモニタし、少なくとも１つの接続点に現れる電位が、所定のしきい値電圧を上回ったとき、交流電源に、過電圧状態を通知する過電圧検出回路をさら備えてもよい。交流電源は、過電圧検出回路によって過電圧状態が通知されたとき、複数の負荷に供給する電力を低減してもよい。
【００１８】
本発明の別の態様もまた、複数の負荷に対して電力を供給する電力供給装置である。この電力供給装置は、複数の負荷ごとに設けられた複数のトランスであって、それぞれの１次側コイルが１つの電流経路を形成するように直列に接続され、それぞれの２次側コイルの一端が複数の負荷に接続された複数のトランスと、交流電圧を生成し、複数のトランスの２次側コイルの他端に印加する交流電源と、電流経路上に設けれられ、当該電流経路に流れる電流を検出する電流検出回路と、を備える。交流電源は、電流検出回路により検出される電流を、複数の負荷に流れる電流とみなし、複数の負荷に供給する電力を制御する。
【００１９】
この態様によれば、１次側コイルで形成される電流経路に流れる電流にもとづき負荷に供給する電力を制御するため、２次側コイルに流れる電流にもとづき電力制御を行う場合に比べて、より正確に電力を制御することができる。
【００２０】
上記交流電源は、直流の入力電圧を交流電圧に変換して出力するインバータであってもよい。
【００２１】
本発明のさらに別の態様は、発光装置である。この発光装置は、複数の蛍光ランプと、複数の蛍光ランプを、複数の負荷として電力を供給する上述の電力供給装置と、を備える。蛍光ランプは、冷陰極管蛍光ランプであってもよいし、外部電極蛍光ランプであってもよい。
【００２２】
この態様によると、複数のトランスの巻き線比に応じて、蛍光ランプの輝度を制御することができる。
【００２３】
本発明のさらに別の態様は、電子機器である。この電子機器は、液晶パネルと、液晶パネルの背面にバックライトとして設けられた上述の発光装置と、を備える。
【００２４】
この態様によると、液晶パネルの輝度ムラを低減することができる。
【００２５】
なお、以上の構成要素の任意の組合せや、本発明の構成要素や表現を、方法、装置、システムなどの間で相互に置換したものもまた、本発明の態様として有効である。
【発明の効果】
【００２６】
本発明に係る電力供給装置によれば、複数の負荷に対して供給する電力を、複数のトランスの巻き線比に応じて制御することができる。
【発明を実施するための最良の形態】
【００２７】
図１は、本発明の実施の形態に係る発光装置２００の構成を示す回路図である。本実施の形態に係る発光装置２００は、液晶パネルのバックライトに用いられる。図２は、図１の発光装置２００が搭載される液晶テレビ３００の構成を示すブロック図である。もっとも、本実施の形態に係る発光装置２００の用途は、液晶テレビの他、ノート型パーソナルコンピュータなどであってもよい。
【００２８】
図２において、液晶テレビ３００は、アンテナ３１０と接続される。アンテナ３１０は、放送波を受信して受信部３０４に受信信号を出力する。受信部３０４は、受信信号を検波、増幅して、信号処理部３０６へと出力する。信号処理部３０６は、変調されたデータを復調して得られる画像データを液晶ドライバ３０８に出力する。液晶ドライバ３０８は、画像データを走査線ごとに液晶パネル３０２へと出力し、映像、画像を表示する。液晶パネル３０２の背面には、バックライトとして複数のＣＣＦＬ２１０が配置されている。以下で説明する本実施の形態に係る電力供給装置は、複数のＣＣＦＬ２１０に電力を供給するために使用されるものである。
【００２９】
図１に戻り、実施の形態に係る電力供給装置の構成および動作について詳細に説明する。
【００３０】
本実施の形態に係る発光装置２００は、電力供給装置１００および負荷として設けられる複数のＣＣＦＬ２１０ａ〜２１０ｄを備える。以下、ＣＣＦＬ２１０ａ〜２１０ｄは、必要に応じて、単にＣＣＦＬ２１０と総称する。本実施の形態においては、４つのＣＣＦＬを設ける場合について説明するが、これに限定されるものではない。
【００３１】
ＣＣＦＬ２１０は、図２の液晶パネルの背面に配置される。電力供給装置１００は、複数のＣＣＦＬ２１０に対して電力を供給するものであり、たとえば、１０００Ｖ以上の交流電圧を生成して、ＣＣＦＬ２１０に供給する。ＣＣＦＬ２１０の発光輝度は、それぞれに流れる電流によって決まるため、駆動電流のばらつきは、バックライトの輝度ムラとなって現れる。したがって、電力供給装置１００には、複数のＣＣＦＬ２１０を均一に駆動することが要求される。
【００３２】
電力供給装置１００は、第１トランス１０ａ〜第４トランス１０ｄ、キャパシタＣ１、交流電源２０を備える。
第１トランス１０ａ〜第４トランス１０ｄは、複数のＣＣＦＬ２１０ａ〜２１０ｄごとに設けられている。以下、必要に応じて添え字ａ〜ｄを省略するものとし、第１トランス１０ａ〜第４トランス１０ｄを総称して単にトランス１０という。トランス１０は、１次側コイル１２、２次側コイル１４を含む。第１トランス１０ａ〜第４トランス１０ｄそれぞれの１次側コイル１２ａ〜１２ｄは、１つの電流経路１６を形成するように直列に接続される。また、第１トランス１０ａ〜第４トランス１０ｄそれぞれの２次側コイル１４の一端は、複数のＣＣＦＬ２１０ａ〜２１０ｄに接続されている。
【００３３】
交流電源２０は、交流電圧Ｖａｃを生成し、第１トランス１０ａ〜第４トランス１０ｄの２次側コイル１４ａ〜２次側コイル１４ｄの他端（すなわち、ＣＣＦＬ２１０ａ〜２１０ｄが接続される一端とは反対側）に印加する。
【００３４】
たとえば、交流電源２０は、直流の入力電圧（たとえば電源電圧）を交流電圧Ｖａｃに変換して出力するインバータである。インバータなどの交流電源については、公知の技術を用いることができるため、説明を省略する。
【００３５】
キャパシタＣ１は、第１トランス１０ａ〜第４トランス１０ｄの１次側コイル１２ａ〜１２ｄにより形成される電流経路１６上に設けられる。キャパシタＣ１および１次側コイル１２ａ〜１次側コイル１２ｄを含んで構成される電流経路１６は、一端が電源電圧端子１８に接続されて第１固定電圧である電源電圧が印加される。また、電流経路１６の他端は、接地端子ＧＮＤに接続され、第２固定電圧である接地電位（０Ｖ）が印加される。キャパシタＣ１によって、電源電圧端子１８から接地端子ＧＮＤに向かって流れる直流電流が阻止され、電流経路１６には、後述する交流の共通電流Ｉｃｏｍが流れることになる。
【００３６】
次に、本実施の形態に係る電力供給装置１００の動作について説明する。交流電源２０により交流電圧Ｖａｃが生成され、第１トランス１０ａ〜第４トランス１０ｄの１次側コイル１２の一端にそれぞれ印加される。１次側コイル１２の一端に印加された交流電圧Ｖａｃは、１次側コイル１２を介して、負荷であるＣＣＦＬ２１０ａ〜２１０ｄに印加される。ＣＣＦＬ２１０は、交流電圧Ｖａｃが駆動電圧として印加されることにより発光し、駆動電流Ｉｄｒｖａ〜Ｉｄｒｖｄが流れる。それぞれのＣＣＦＬ２１０に流れる駆動電流Ｉｄｒｖａ〜Ｉｄｒｖｄは、交流電源２０から２次側コイル１４を介して供給される。
【００３７】
したがって、ＣＣＦＬ２１０ａ〜ＣＣＦＬ２１０ｄごとに設けられた第１トランス１０ａ〜第４トランス１０ｄの２次側コイル１４ａ〜１４ｄには、各ＣＣＦＬ２１０に流れる駆動電流Ｉｄｒｖが流れることになる。トランスの１次側コイルと２次側コイルは結合されており、各コイルには、巻き線比Ｎに応じた電流が流れることから、第１トランス１０ａ〜第４トランス１０ｄの１次側コイル１２には、Ｉｄｒｖ／Ｎで与えられる電流が流れることになる。
【００３８】
上述したように、トランス１０の１次側コイル１２は、同一の電流経路を形成するため、各コイルに流れる電流は等しい。本実施の形態において、この電流を共通電流Ｉｃｏｍという。言い換えれば、ＣＣＦＬ２１０それぞれに流れる駆動電流Ｉｄｒｖと、共通電流Ｉｃｏｍの間には、Ｉｄｒｖ＝Ｉｃｏｍ×Ｎの関係が成り立つことになる。
【００３９】
このように、本実施の形態に係る電力供給装置１００によれば、複数のＣＣＦＬ２１０に供給する電力を、巻き線比Ｎに応じて制御することができ、複数のＣＣＦＬ２１０を、所望の相対輝度で発光することになる。たとえば、すべてのトランス１０の巻き線比Ｎを等しく設定してもよいし、液晶パネルに対するＣＣＦＬ２１０の位置に応じて、巻き線比Ｎを替えてもよい。
【００４０】
また、本実施の形態に係る電力供給装置１００によれば、共通電流Ｉｃｏｍが流れる電流経路１６の両端を、異なる電位によって固定しているため、共通電流Ｉｃｏｍの検出が可能となる。以下、共通電流Ｉｃｏｍの検出方法について図３を参照しつつ説明する。
【００４１】
図３は、電流検出機能を備えた電力供給装置の構成の一部を示す回路図である。図３の電力供給装置１００ａは、電流経路１６上に設けられ、共通電流Ｉｃｏｍを検出する電流検出回路３０を備える。本実施の形態において、電流検出回路３０は、電流検出抵抗Ｒ１を含んで構成される。電流検出抵抗Ｒ１は、電流経路１６上に設けられ、一端が電源電圧端子１８に接続されて、電位が固定される。電流検出抵抗Ｒ１に発生する電圧降下は、共通電流Ｉｃｏｍを用いて、Ｒ１×Ｉｃｏｍで与えられる。本明細書において、電圧信号、電流信号あるいは抵抗、容量などに付された符号は、必要に応じてそれぞれの電圧値、電流値あるいは抵抗値、容量値を表すものとして用いることとする。
【００４２】
電流検出抵抗Ｒ１の他端の電位ＶＩは、電源電圧Ｖｄｄよりも、電圧降下Ｖｄｒｏｐだけ低い電圧となり、ＶＩ＝Ｖｄｄ−Ｒ１×Ｉｃｏｍで与えられる。以下、電流検出抵抗Ｒ１の他端の電位を、検出電圧ＶＩという。電流検出回路３０は、検出電圧ＶＩを交流電源２０へと出力する。なお、電流検出抵抗Ｒ１は、一端の電位が固定されていればよく、接地電位側に設けられてもよい。
【００４３】
交流電源２０は、電流検出抵抗Ｒ１に発生する電圧降下を、複数のＣＣＦＬ２１０に流れる電流に応じた信号とみなし、ＣＣＦＬ２１０に供給する電力を制御する。以下、交流電源２０による電力制御の好適な例について説明する。
【００４４】
（第１の電力制御方式）
交流電源２０は、電流検出回路３０により検出される電流が、所望の電流値Ｉｒｅｆと一致するように、ＣＣＦＬ２１０に供給する電力を帰還制御する。
図４は、第１の電力制御を実行するための電流検出回路の構成例を示す回路図である。電流検出回路３０ａは、電流検出抵抗Ｒ１に加えて、フィルタ３２を含む。フィルタ３２は、電流検出抵抗Ｒ１に発生する電圧降下Ｖｄｒｏｐを、半波整流し、直流成分を抽出する。フィルタ３２は、たとえば、ダイオードを用いた半波整流回路３４と、抵抗およびキャパシタで構成されるローパスフィルタ３６を用いて構成することができる。
【００４５】
フィルタ３２からは、電流検出抵抗Ｒ１に発生する電圧降下Ｖｄｒｏｐの振幅、すなわち、共通電流Ｉｃｏｍの振幅に応じた帰還電圧ＶＩ’が出力される。
交流電源２０は、フィルタ３２の出力電圧ＶＩ’が、所望の電流値Ｉｒｅｆに対応した電圧値Ｖｒｅｆに一致するように、ＣＣＦＬ２１０に供給する電力を帰還制御する。こうした制御には、公知のさまざまな帰還制御技術を用いればよい。図４は、パルス幅変調（ＰＷＭ）によって、負荷に供給する電力を制御する例を示しているが、これに限定されるものではなく、交流電圧Ｖａｃの周波数を調節してもよい。
【００４６】
交流電源２０は、誤差増幅器２２、パルス幅変調器２４を含む。誤差増幅器２２は、帰還電圧ＶＩ’と、基準電圧Ｖｒｅｆの誤差を増幅し、誤差電圧Ｖｅｒｒを出力する。パルス幅変調器２４は、三角波あるいはのこぎり波状の周期電圧と誤差電圧Ｖｅｒｒを比較して、その大小関係に応じてパルス幅が変化するパルス信号Ｖｐｗｍを出力する。交流電源２０は、パルス信号Ｖｐｗｍのパルス幅に応じて、たとえば、後段に設けられるＨブリッジ回路などのスイッチング回路のスイッチング動作を制御する。
【００４７】
負荷がＣＣＦＬなどである場合、複数のトランス１０の２次側コイル１４には、ＣＣＦＬ２１０などの負荷に流れる電流Ｉｄｒｖと、配線と基板間などに生ずる寄生容量（図示せず）に流れる電流の和が流れる。したがって、２次側コイル１４に流れる電流をモニタして、この電流にもとづいて、ＣＣＦＬ２１０に供給する電力を制御した場合、実際にＣＣＦＬ２１０に流れる電流を過大に見積もることになる。
【００４８】
これに対して、第１の電力制御方式によれば、１次側コイル１２で形成される電流経路１６に流れる共通電流Ｉｃｏｍにもとづき負荷に供給する電力を制御するため、より正確に電力を制御することができる。
【００４９】
（第２の電力制御方式）
交流電源２０は、電流検出回路３０により検出される電流が、所定のしきい値に満たないとき、所定の処理を実行してもよい。
図５は、第２の電力制御を実行するための電流検出回路の構成例を示す回路図である。図５の電流検出回路３０ｂは、電流検出抵抗Ｒ１に加えて、電流検出抵抗Ｒ１に発生する電圧降下Ｖｄｒｏｐの振幅を、所定のしきい値と比較する第１異常検出回路４０をさら備える。第１異常検出回路４０は、電圧降下Ｖｄｒｏｐの振幅が、しきい値Ｖｔｈを下回ったとき、交流電源２０に、回路異常を通知する。
【００５０】
第１異常検出回路４０は、コンパレータ４２、プルアップ抵抗Ｒ２、キャパシタＣ２を含む。第１異常検出回路４０の非反転入力端子には、検出電圧ＶＩが入力され、反転入力端子には、しきい値電圧Ｖｔｈが入力される。コンパレータ４２は、オープンコレクタ構造を有しており、その出力は、プルアップ抵抗Ｒ２によって電源電圧などのハイレベルにプルアップされる。キャパシタＣ２は、コンパレータ４２の出力と接地間に設けられる。
【００５１】
図６は、図５の第１異常検出回路４０の動作を説明するための電圧波形図である。検出電圧ＶＩは、ほぼ電源電圧Ｖｄｄを中心値とした正弦波となる。電流経路１６に流れる共通電流Ｉｃｏｍの振幅が大きくなると、検出電圧ＶＩの振幅も大きくなる。図６にＶＩ１で示すように、検出電圧ＶＩの振幅が、電源電圧Ｖｄｄと、しきい値電圧Ｖｔｈとの電位差ΔＶより大きくなると、検出電圧ＶＩがしきい値電圧Ｖｔｈを下回るため、コンパレータ４２の出力Ｓ１はローレベルとなる。
【００５２】
逆に、図６にＶＩ２で示すように検出電圧ＶＩの振幅が小さい場合、コンパレータ４２の出力Ｓ１はハイレベルにプルアップされる。たとえば、ＣＣＦＬ２１０のいくつかが点灯しない場合には、共通電流Ｉｃｏｍの振幅が小さくなるため、コンパレータ４２の出力Ｓ１はハイレベルとなる。このようにして第１異常検出回路４０は、コンパレータ４２の出力Ｓ１がハイレベルの状態を、ＣＣＦＬ２１０の非点灯などの回路異常とし、交流電源２０へと通知する。
【００５３】
交流電源２０は、第１異常検出回路４０によって回路異常が通知されたとき、ＣＣＦＬ２１０に供給する電力を低減するなどして、必要な回路保護動作や、再点灯のための処理を行う。同様の構成によって、過電流状態を検出することができる。
【００５４】
本実施の形態に係る電力供給装置１００によれば、第１、第２の電力制御方式で説明したように、トランス１０の１次側コイル１２によって１つの電流経路１６を構成し、共通電流Ｉｃｏｍをモニタすることにより、共通電流Ｉｃｏｍ、すなわちＣＣＦＬ２１０の駆動電流Ｉｃｏｍに応じてさまざまな制御を行うことができる。第１、第２の電力制御は、単独で実行してもよいし、２つを同時に実行してもよい。また、電力制御の方式は、第１、第２の電力制御方式に限定されるものではなく、その他のさまざまな制御にも用いることができる。
【００５５】
図７は、回路保護機能を強化した実施の形態に係る電力供給装置の構成例を示す回路図である。図７の電力供給装置１００ｃは、第２異常検出回路５０および過電圧検出回路６０をさらに備える。
【００５６】
第２異常検出回路５０は、複数のトランス１０の１次側コイル１２の端子Ｎ１〜Ｎ４の電圧Ｖｘ１〜Ｖｘ４をモニタし、少なくとも１つの接続点に現れる電位Ｖｘが、所定のしきい値電圧Ｖｔｈ２を下回ったとき、交流電源２０に、回路異常を通知する。
第２異常検出回路５０は、各端子Ｎ１〜Ｎ４ごとに、分圧用のキャパシタＣ２、Ｃ３およびダイオードＤ１を含む。キャパシタＣ２、Ｃ３は、端子Ｎと接地間に直列に接続され、各端子Ｎに現れる電圧Ｖｎを分圧する。ダイオードＤ１のアノードは、キャパシタＣ２、Ｃ３の接続点に接続される。各端子Ｎ１〜Ｎ４ごとに設けられたダイオードＤ１ａ〜Ｄ１ｄのカソードは共通に接続され、コンパレータ５２の非反転入力端子に入力される。コンパレータ５２は、カソードＤ１ａ〜Ｄ１ｄのカソードの電位と、しきい値電圧Ｖｔｈ２を比較する。コンパレータ５２の出力Ｓ２は、少なくとも１つの接続点に現れる電位Ｖｘが、しきい値電圧Ｖｔｈ２を下回ったとき、ハイレベルとなり、交流電源２０に回路異常を通知する。交流電源２０は、第２異常検出回路５０から回路異常が通知されたとき、ＣＣＦＬ２１０に供給する電力を低減する。
【００５７】
過電圧検出回路６０は、複数のトランス１０の２次側コイル１４ａ〜１４ｄと、複数のＣＣＦＬ２１０ａ〜２１０ｄの接続点ＣＮ１〜ＣＮ４の電圧Ｖｙ１〜Ｖｙ４をモニタし、少なくとも１つの接続点に現れる電位が、しきい値電圧を上回ったとき、出力信号Ｓ３をハイレベルとして、交流電源２０に過電圧状態を通知する。過電圧検出回路６０の内部構成は、第２異常検出回路５０と同様とすればよいため、説明は省略する。交流電源２０は、過電圧検出回路６０から過電圧状態が通知されたとき、ＣＣＦＬ２１０に供給する電力を低減する。
【００５８】
実施の形態は例示であり、それらの各構成要素や各処理プロセスの組合せにいろいろな変形例が可能なこと、またそうした変形例も本発明の範囲にあることは当業者に理解されるところである。
【００５９】
本実施の形態において、論理レベル信号のハイ、ローの設定は一例であって、インバータなどによって適宜反転させることにより自由に変更することが可能である。
【００６０】
実施の形態では、発光装置２００において、ＣＣＦＬ２１０の一端に駆動電圧を供給する場合について説明したが、本発明はこれに限定されない。たとえば、ＣＣＦＬ２１０の両端に、電力供給装置１００を接続して、逆相の駆動電圧で駆動してもよい。また、ＣＣＦＬ２１０として、Ｕ字型のものを用いてもよい。駆動対象の蛍光管は、ＣＣＦＬに限定されるものではなく、ＥＥＦＬなど他の蛍光管であってもよい。
【００６１】
また、本実施の形態に係る電力供給装置１００により駆動される負荷は、蛍光管に限定されるものではなく、その他、交流の高電圧を必要とする様々なデバイスの駆動に適用することができる。
【図面の簡単な説明】
【００６２】
【図１】本発明の実施の形態に係る発光装置の構成を示す回路図である。
【図２】図１の発光装置が搭載される液晶テレビの構成を示すブロック図である。
【図３】電流検出機能を備えた電力供給装置の構成の一部を示す回路図である。
【図４】第１の電力制御を実行するための電流検出回路の構成例を示す回路図である。
【図５】第２の電力制御を実行するための電流検出回路の構成例を示す回路図である。
【図６】図５の第１異常検出回路の動作を説明するための電圧波形図である。
【図７】回路保護機能を強化した実施の形態に係る電力供給装置の構成例を示す回路図である。
【符号の説明】
【００６３】
１０  トランス、  １０ａ  第１トランス、  １０ｂ  第２トランス、  １０ｃ  第３トランス、  １０ｄ  第４トランス、  １２  １次側コイル、  １４  ２次側コイル、  １６  電流経路、  １８  電源電圧端子、  Ｃ１  キャパシタ、  Ｒ１  電流検出抵抗、  ３０  電流検出回路、  ２０  交流電源、  ２２  誤差増幅器、  ２４  パルス幅変調器、  ４０  第１異常検出回路、  ４２  コンパレータ、  Ｒ２  プルアップ抵抗、  Ｃ２  キャパシタ、  ５０  第２異常検出回路、  ６０  過電圧検出回路、  １００  電力供給装置、  ２００  発光装置、  ２１０  ＣＣＦＬ、  ３００  液晶テレビ、  ３０２  液晶パネル、  ３０４  受信部、  ３０６  信号処理部、  ３０８  液晶ドライバ、  ３１０  アンテナ。
【図１】
0004843316.tif 000002
【図２】
0004843316.tif 000003
【図３】
0004843316.tif 000004
【図４】
0004843316.tif 000005
【図５】
0004843316.tif 000006
【図６】
0004843316.tif 000007
【図７】
0004843316.tif 000008